(57)【特許請求の範囲】
【請求項１】
ダウンホールツールを第１ウェルボアに配置することであり、
前記ダウンホールツールは、少なくとも１つのセラミック部分を有するアウターコア（ｏｕｔｅｒ  ｃｏｒｅ）と、前記アウターコア（ｏｕｔｅｒ  ｃｏｒｅ）の内部に配置された少なくとも１つの電磁アンテナと、を備え、
前記少なくとも１つのセラミック部分は、少なくとも１つの網目のセラミック部分および少なくとも１つの中身の詰まったセラミック部分を備える、ダウンホールツールを第１ウェルボアに配置することと、
前記少なくとも１つのセラミック部分を加熱するために、前記少なくとも１つの電磁アンテナから電磁放射線を放射することと、
を含む、累層からの重油の回収を高めるための方法。
【請求項２】
前記ダウンホールツールは、インナーコア（ｉｎｎｅｒ  ｃｏｒｅ）をさらに備える方法であって、前記方法は、流体を前記インナーコアの中に注入することと、前記流体を前記インナーコアから前記少なくとも１つの網目のセラミック部分を通って前記累層に流すこととをさらに含む、請求項１に記載の方法。
【請求項３】
前記流体が前記少なくとも１つの網目のセラミック部分を通って流れるとき、前記流体を液体から蒸気に変換することをさらに含む、請求項２に記載の方法。
【請求項４】
前記流体は水である、請求項２に記載の方法。
【請求項５】
前記少なくとも１つのセラミック部分を加熱するステップは、前記少なくとも１つのセラミック部分を少なくとも約１０００℃に加熱することを含む、請求項１から４のいずれか一項に記載の方法。
【請求項６】
前記電磁放射線を放射するステップは、前記電磁放射線を３００ＭＨｚから３００ＧＨｚまでの周波数範囲で放射することを含む、請求項１から５のいずれか一項に記載の方法。
【請求項７】
前記ダウンホールツールは、インナーコアをさらに備え、前記少なくとも１つのセラミック部分は、少なくとも１つの網目のセラミック部分を備える方法であって、前記方法は、セラミック粒子を備える支持材を前記インナーコアの中に注入することと、前記支持材が前記インナーコアから少なくとも１つの網目のセラミック部分を通って前記累層に流れるとき、前記少なくとも１つの電磁アンテナから前記電磁放射線によって前記支持材のセラミック粒子を加熱することとをさらに含む、請求項１から６のいずれか一項に記載の方法。
【請求項８】
前記セラミック粒子は、大きさが約１０６マイクロメータから約２．３６ミリメータまでである、請求項７に記載の方法。
【請求項９】
前記セラミック粒子は２マイクロメータ未満である、請求項７に記載の方法。
【請求項１０】
前記ダウンホールツールは、インナーコアをさらに備え、前記少なくとも１つのセラミック部分は、少なくとも１つの網目のセラミック部分を備え、
前記方法は、
流体を前記インナーコアの中に注入することと、
前記流体が前記少なくとも１つの網目のセラミック部分を通って流れるとき、前記流体を液体から蒸気に変換することと、
前記第１ウェルボアより下の第２ウェルボアに産出管を配置することと、
粘性が低下した重油を産出するために、前記蒸気によって、前記累層に配置された前記重油の粘性を低下させることと、
前記第２ウェルボアを含む領域に前記粘性が低下した重油を排出することと、
前記粘性が低下した重油を、前記累層から産出されるように前記産出管の中に流すことと、
をさらに備える、請求項１から９のいずれか一項に記載の方法。
【請求項１１】
流体を流せるようにする働きをするインナーコア、少なくとも１つの網目のセラミック部分および少なくとも１つの中身の詰まったセラミック部分を有するアウターコア、および前記インナーコアと前記アウターコアとの間に配置された少なくとも１つの電磁アンテナを備えるダウンホールツールをウェルボアに配置することと、
前記少なくとも１つの網目のセラミック部分および前記少なくとも１つの中身の詰まったセラミック部分を、前記流体の沸点よりも高い温度に加熱するために、少なくとも１つの電磁アンテナから電磁放射線を放射することと、
前記流体を前記インナーコアの中に注入することと、
前記流体を前記インナーコアから前記少なくとも１つの網目のセラミック部分を通って累層に流すことと、
前記流体が前記少なくとも１つの網目のセラミック部分を通って流れるとき、前記流体を蒸気に変換することと
を含む、累層からの重油の回収を高めるための方法。
【請求項１２】
前記流体は水である、請求項１１に記載の方法。
【請求項１３】
前記少なくとも１つの網目のセラミック部分および前記少なくとも１つの中身の詰まったセラミック部分を加熱するステップは、前記少なくとも１つの網目のセラミック部分および前記少なくとも１つの中身の詰まったセラミック部分を少なくとも約１０００℃に加熱することを含む、請求項１１から１２のいずれか一項に記載の方法。
【請求項１４】
前記電磁放射線を放射するステップは、前記電磁放射線を３００ＭＨｚから３００ＧＨｚまでの周波数範囲で放射することを含む、請求項１１から１３のいずれか一項に記載の方法。
【請求項１５】
セラミック粒子を備える支持材を前記インナーコアの中に注入することと、
前記支持材が前記インナーコアから前記少なくとも１つの網目のセラミック部分を通って前記累層に流れるとき、前記少なくとも１つの電磁アンテナから前記電磁放射線によって前記支持材のセラミック粒子を加熱することと
をさらに含む、請求項１１から１４のいずれか一項に記載の方法。
【請求項１６】
前記セラミック粒子は、大きさが約１０６マイクロメータから約２．３６ミリメータまでである、請求項１５に記載の方法。
【請求項１７】
前記セラミック粒子は２マイクロメータ未満である、請求項１５に記載の方法。
【請求項１８】
第１ウェルボアより下の第２ウェルボアに産出管を配置することと、
粘性が低下した重油を産出するために、前記蒸気によって、前記累層に配置された前記重油の粘性を低下させることと、
前記第２ウェルボアを含む領域に前記粘性が低下した重油を排出することと、
前記粘性が低下した重油を、前記累層から産出されるように前記産出管の中に流すことと
をさらに含む、請求項１１から１７のいずれか一項に記載の方法。
【発明の詳細な説明】
【技術分野】
【０００１】
本開示は、一般に、原油の二次回収に関する。より詳細には、本開示は、重油の回収および現場での蒸気発生のための電磁支援のセラミック材料に関する。
【背景技術】
【０００２】
原油の二次回収は、貯留層から追加の量の原油を回収するための技術に関する。原油の二次回収は、貯留層の重油の回収に焦点を合わせ、産出のために累層からウェルボアへの流れを高めることを目標とする。標的にした累層から重油を産出するために、累層の重油の粘性を低下させることは、大いに有益である。多くの例では、熱は、粘性を下げるために、かつ、油を流せるように、累層に導入される。高温を累層の中に導入できる方法は、蒸気注入、現場での燃焼、またはマイクロ波を含む電磁加熱である。
【０００３】
蒸気注入は、現在世界中で使用されている最も一般的な熱回収方法の実施である。蒸気支援の重力排出（ＳＡＧＤ）は、蒸気注入方法、および（上側および下側の）２つの平行な水平のウェル（井戸）が、標的にした領域に掘削される構造の形である。上側のウェルは、貯留層の温度を上げる熱エネルギーを供給するための蒸気注入に使用される。これにより、重油の粘性を低下させ、流動性を向上させ、したがって下側の水平のウェル（産出地）を介して重力効果によって産出するように、油を下方に排出し流すことができる。現場での蒸気発生のための向上したシステムは、これらのタイプの高められた油回収方法をさらに向上させるために必要とされる。
【０００４】
電磁波技術は、重油の回収における潜在力を有する。電磁波技術を使用することにおける従来の試みは、（ウェルボアの近くの２，３フィートのような）限定された熱浸透深さおよび商用的な産出のための十分なエネルギーを発生させることにおける低効率のために成功が限定された電磁ダウンホールの使用を標的に定めた。
【発明の概要】
【課題を解決するための手段】
【０００５】
１つの側面では、本開示は、累層からの重油の回収を高めるためのダウンホールツールを提供する。ダウンホールツールは、少なくとも１つのセラミック部分および少なくとも１つの中身の詰まったセラミック部分を備えるアウターコアを含む。ダウンホールツールは、さらに、アウターコアの内部に配置された少なくとも１つの電磁アンテナを含む。少なくとも１つの電磁アンテナは、網目のセラミック部分および中身の詰まったセラミック部分を加熱する働きをする電磁放射線を放射する働きをする。
【０００６】
本開示の別の実施形態では、累層からの重油の回収を高めるためのダウンホールツールは、流体を流せるようにする働きをするインナーコアを含む。ダウンホールツールは、さらに、少なくとも１つの網目のセラミック部分および少なくとも１つの中身の詰まったセラミック部分を有するアウターコアを含む。少なくとも１つの電磁アンテナは、インナーコアとアウターコアとの間に配置した。少なくとも１つの電磁アンテナは、少なくとも１つの網目のセラミック部分および少なくとも１つの中身の詰まったセラミック部分を加熱する働きをする電磁放射線を放射する働きをする。
【０００７】
別の側面では、本開示は、第１ウェルボアにダウンホールツールを配置することを含む、累層からの重油の回収を高めるための方法を提供する。ダウンホールツールは、少なくとも１つのセラミック部分およびアウターコアの内部に配置された少なくとも１つの電磁アンテナを有するアウターコアを備える。電磁放射線は、少なくとも１つのセラミック部分を加熱するために、少なくとも１つの電磁アンテナから放射される。
【０００８】
本開示の別の実施形態では、累層からの重油の回収を高めるための方法は、ウェルボアにダウンホールツールを配置することを含む。ダウンホールツールは、流体を流せるようにする働きをするインナーコア、少なくとも１つの網目のセラミック部分および少なくとも１つの中身の詰まったセラミック部分を有するアウターコア、およびインナーコアとアウターコアとの間に配置された少なくとも１つの電磁アンテナを備える。電磁放射線は、少なくとも１つの電磁アンテナから放射される。少なくとも１つの網目のセラミック部分および少なくとも１つの中身の詰まったセラミック部分は、流体の沸点よりも高い温度に加熱される。流体は、インナーコアの中に注入される。流体は、インナーコアから少なくとも１つの網目のセラミック部分を通って累層に流れる。流体は、少なくとも１つの網目のセラミック部分を通って流れるとき、蒸気に変換される。
【図面の簡単な説明】
【０００９】
【図１Ａ】本開示の一実施形態にかかる電磁ダウンホールツールである。
【図１Ｂ】本開示の一実施形態にかかる電磁ダウンホールツールである。
【００１０】
【図１Ｃ】本開示の一実施形態にかかる、図１Ａおよび図１Ｂの電磁ダウンホールツールが入れられたウェルボアである。
【００１１】
【図２Ａ】本開示の実施形態にかかる装置が入れられたウェルボア（井戸穴）である。
【図２Ｂ】本開示の実施形態にかかる装置が入れられたウェルボアである。
【図２Ｃ】本開示の実施形態にかかる装置が入れられたウェルボアである。
【発明を実施するための形態】
【００１２】
以下の詳細な説明は、図示するために、多くの特徴的な詳細な記述を含むが、以下の詳細な記述に関する多くの例、変形形態、および変更形態が本開示の範囲および精神の範囲内であるということを当業者であれば分かるだろうということが理解される。したがって、ここで説明され添付図で提供された本開示の例示の実施形態により、本開示の請求された実施形態について、普遍性を損ねることなく、かつ、制限を課すことなく説明される。
【００１３】
１つの側面では、本開示は、累層からの重油の回収を高めるためのダウンホールツールを提供する。ダウンホールツールは、少なくとも１つのセラミック部分を有するアウターコアを有する。ダウンホールツールは、さらに、アウターコアの内部に配置された少なくとも１つの電磁アンテナを含む。少なくとも１つの電磁アンテナは、セラミック材料を加熱する働きをする電磁放射線を放射する働きをする。
【００１４】
別の側面では、本開示は、第１ウェルボアにダウンホールツールを配置することを含む累層からの重油の回収を高めるための方法を提供する。ダウンホールツールは、少なくとも１つのセラミック部分およびアウターコアの内部に配置された少なくとも１つの電磁アンテナを有するアウターコアを備える。電磁放射線は、少なくとも１つのセラミック部分を加熱するために、少なくとも１つの電磁アンテナから放射される。
【００１５】
図１Ａから図１Ｃは、本開示の一実施形態を示す。示されるように、ダウンホールツール１００は、流体を流せるようにする働きをするインナーコア１０５を有する。ダウンホールツール１００は、少なくとも１つの網目のセラミック部分１１５および少なくとも１つの中身の詰まったセラミック部分１２０を有するアウターコア１１０も含む。ダウンホールツール１００は、さらに、インナーコア１０５とアウターコア１１０との間に配置された少なくとも１つの電磁アンテナ１２５を含む。
【００１６】
別の側面では、本開示は、ダウンホールツール１００を使用する方法を提供する。本方法は、図１Ｃおよび図２Ａに示すように、累層１３０のウェルボアにダウンホールツール１００を配置することを含む。図１Ｃの実施形態では、ダウンホールツール１００は、中身の詰まったセラミック部分１２０および網目のセラミック部分１１５の両方を有するが、代替の実施形態では、ダウンホールツール１００は、中身の詰まったセラミック部分１２０のみを有することもできるし、網目のセラミック部分１１５のみを有することもできる。ダウンホールツール１００は、ダウンホールツール１００をボアホール２００の中に取り出し可能に下げることができるように、ダウンホールツール１００を紐１３４に取り付けるための連結部１３２を有する。ボアホール２２０は、垂直のボアホールまたは水平のボアホールのいずれかで存在することができる。ダウンホールツール１００は、ワイヤ線、コイル管、またはドリルストリングのような従来の手段によってボアホール２００の中に下げることができる。図２Ａの実施形態では、ダウンホールツール１００は、代わりに、ウェル構造の一部分として一体的に形成されている。
【００１７】
電磁放射線は、少なくとも１つの電磁アンテナ１２５から放射される。セラミック部分は、流体の沸点よりも高い温度に加熱される。このように、ダウンホールツール１００は、熱源として使用することができる。例えば、熱源は、重油の粘性を下げ、重油をより容易に産出することができるように、累層の温度を上げることにおいて有益にすることができる。セラミック部分が中身の詰まったセラミック部分１２０のみを含むある実施形態では、熱は、ダウンホールツール１００から放射状に広がる。ツール１００が少なくとも１つの網目のセラミック部分１１５を有する他の実施形態では、流体は、ボア１７０を通してインナーコア１０５の中に注入することができる。流体は、インナーコア１０５から少なくとも１つの網目のセラミック部分１１５を通って累層１３０に流すことができる。流体は、少なくとも１つの網目のセラミック部分１１５を通って流れるとき、蒸気に変換される。
【００１８】
ダウンホールツール１００の網目のセラミック部分１１５および中身の詰まったセラミック部分１２０は、同一のまたは異なる材料からできていてもよい。一般に、網目の部分１１５および中身の詰まった部分１２０の両方に使用されるセラミック材料は、独特の特性を有する。具体的には、選択されたセラミック材料は、電磁放射線にさらされるとき、加熱する働きをするということが決定的に重要な意味を持つ。いくつかの実施形態では、セラミック材料は急速に熱くなる。いくつかの実施形態では、セラミック材料は数分以内に熱くなる。いくつかの実施形態では、セラミック材料は約５分未満で熱くなる。いくつかの実施形態では、セラミック材料は約３分未満で熱くなる。いくつかの実施形態では、セラミック材料は、ＣＡＰＳ、Ｂ−ＣＡＰＳ、Ｃ−ＣＡＳ、およびＤ−ＣＡＰＳの製品のようなアドバンストセラミックテクノロジーズ（Ａｄｖａｎｃｅｄ  Ｃｅｒａｍｉｃ  Ｔｅｃｈｎｏｌｏｇｉｅｓ）から得られる加熱セラミック材料を含む。これらの製品は、一般に、シリカ、酸化アルミニウム、酸化マグネシウム、カリウム、三酸化鉄、酸化カルシウム、酸化ナトリウム、および酸化チタンを含む天然の粘土である。いくつかの実施形態では、セラミック材料は、少なくとも１つの電磁アンテナ１２５からの電磁放射線にさらされるとき、少なくとも約１０００℃に加熱することができる。加えて、いくつかの実施形態では、セラミック材料は、ダウンホールでの使用に必要とされるいかなる形および大きさにも鋳造でき形成できる。一般に、セラミック材料は電磁放射線にさらされた状態で熱くなり、したがって、累層１３０に隣接する領域を加熱する。熱浸透深さは、累層１３０の中により広くなっていき、より深くなっていく。エネルギー効率も向上する。
【００１９】
少なくとも１つの網目のセラミック部分１１５は、インナーコア１０５から累層１３０に流体を流せるようにする働きをする。いくつかの実施形態では、中身の詰まったセラミック部分１２０は、流体を流せるようにするために、中身の詰まった多孔質のセラミック部分として製造することができる。加熱されたとき、網目のセラミック部分１１５および中身の詰まった多孔質のセラミック部分１２０は、流体がインナーコア１０５から累層１３０に通り抜けるとき、流体を蒸気に変換する働きをする。そのとき、蒸気は、周囲の累層１３０の重質原油および／または瀝青を加熱し、重質原油および／または瀝青の粘性を低下させ、産出のためにそれを流すことができる。
【００２０】
網目のセラミック部分１１５および中身の詰まった多孔質のセラミック部分１２０は、累層１３０からインナーコア１０５に粘性が低下した重油を流すことができるように使用することができ、同一のウェルボアを通して産出することができる。したがって、ツール１００は、刺激および産出の両方に使用することができる。中身の詰まったセラミック部分１２０は、熱が必要とされるいかなる利用、例えば重油を加熱すること、したがって重油の粘性を低下させることを支援すること、およびそれを流し、産出できるようにすることのための熱源の機能も果たす。
【００２１】
本開示の実施形態で使用される流体は、セラミック部分によって蒸気に変換することができセラミック部分の近くの累層１３０の粘性を低下させるために使用することができるいかなる流体であってもよい。いくつかの実施形態では、流体は水である。
【００２２】
少なくとも１つの電磁アンテナ１２５は、ダウンホールでの使用のために構成され少なくとも１つの網目のセラミック部分１１５および少なくとも１つの中身の詰まったセラミック部分１２０を加熱する電磁放射線周波数範囲を放射する働きをするいかなるアンテナであってもよい。いくつかの実施形態では、電磁放射線の周波数は、３００ＭＨｚから３００ＧＨｚまでである。いくつかの実施形態では、少なくとも１つの電磁アンテナ１２５は、表面からの信号に基づいて励起される。いくつかの実施形態では、少なくとも１つの電磁アンテナ１２５は無線で励起される。いくつかの実施形態では、少なくとも１つの電磁アンテナ１２５は、配線で接続されている。いくつかの実施形態では、少なくとも１つの電磁アンテナ１２５は、放射線を連続的に放射する。いくつかの実施形態では、少なくとも１つの電磁アンテナ１２５は、断続的なやり方で放射線を放射する。別の実施形態では、放射線は、３６０度全ての方向に放射される。本開示の実施形態で使用するアンテナは、Ｃｏｍｍｕｎｉｃａｔｉｏｎｓ  ＆  Ｐｏｗｅｒ  Ｉｎｄｕｓｔｒｉｅｓ  Ｃｏｒｐｏｒａｔｅ  Ｈｅａｄｑｕａｒｔｅｒｓ，Ｐａｌｏ  Ａｌｔｏ，Ｃａｌｉｆｏｒｎｉａ、およびＳｔａｎｆｏｒｄ  Ｌｉｎｅａｒ  Ａｃｃｅｌｅｒａｔｏｒ  Ｃｅｎｔｅｒ（ＳＬＡＣ）Ｎａｔｉｏｎａｌ  Ａｃｃｅｌｅｒａｔｏｒ  Ｌａｂｏｒａｔｏｒｙ，Ｐａｌｏ  Ａｌｔｏ，Ｃａｌｉｆｏｒｎｉａから入手することができる。これらの事業体の両方は、周波数が０．５ＧＨｚから３０ＧＨｚまでであり、出力が０．５ｋＷから１２００ｋＷまでであるクライストロン（Ｋｌｙｓｔｒｏｎ）と称されるマイクロ波システムを製造する。加えて、両方の事業体は、連続波またはパルス波の生成物を作り出すモデルを製造する。
【００２３】
いくつかの実施形態では、セラミック粒子を含む支持材は、インナーコア１０５の中に注入することもできる。図２Ｂに示すように、セラミック粒子を含む支持材は、ファインセラミック支持材を使用する非従来型の破砕法で使用することができるか、または、図２Ｃに示すように、セラミック粒子を含む支持材は、セラミック支持材を使用する従来型の破砕法で使用することができる。セラミック粒子を含む支持材は、インナーコア１０５から少なくとも１つの網目のセラミック部分１１５を通って累層１３０の内部の裂け目１４０の中に流すことができる。電磁放射線は、少なくとも１つの電磁アンテナ１２５から放射され、したがって、支持材のセラミック粒子を加熱する。セラミック粒子は、網目のセラミック部分１１５および中身の詰まったセラミック部分１２０に使用できるようないずれかの同一材料を含むことができる。いくつかの実施形態では、セラミック粒子を含む支持材は、累層１３０の破砕法を支援するために使用することができる。
【００２４】
いくつかの実施形態では、流体キャリアのセラミック粒子は、インナーコア１０５の中に注入することもできる。セラミック粒子を含む流体キャリアは、インナーコア１０５から少なくとも１つの網目のセラミック部分１１５を通って累層１３０の中に流すことができる。電磁放射線は、少なくとも１つの電磁アンテナ１２５から放射され、したがって流体キャリアのセラミック粒子を加熱する。セラミック粒子は、網目のセラミック部分１１５および中身の詰まったセラミック部分１２０に使用できるようないずれかの同一材料を含むことができる。いくつかの実施形態では、流体キャリアのセラミック粒子は、累層１３０の破砕法を支援するために使用することができる。
【００２５】
ウェルボアからさらに移動する電磁放射線によって加熱されるセラミック粒子のような、支持材または流体キャリアとともに注入されるセラミック粒子は、従来の貯留層の破砕法での貯留層における熱浸透およびエネルギー効率を向上させる。
【００２６】
粒子は、大きさが数マイクロメータから数ミリメータである。一般に、粒子は、２マイクロメータ未満から約２５００マイクロメータまでである。いくつかの実施形態では、セラミック粒子は、大きさが約１０６マイクロメータから２．３６ミリメータまでである。例えばファインセラミック粒子のためのいくつかの実施形態では、セラミック粒子は、２マイクロメータ未満である。いくつかの実施形態では、粒子は、均一な大きさである。他の実施形態では、粒子は、均一な大きさではない。セラミック粒子の注入は、詰まった累層での特定の使用である。
【００２７】
図２に示すように、いくつかの実施形態では、産出管３０５は、ダウンホールツール１００を含むウェルボア２００より下の第２ウェルボア３００に配置される。流体が網目のセラミック部分１１５を通って流れるときに生成される蒸気は、粘性が低下した重油を産出するために、累層１３０に配置された重油の粘性を低下させるために使用される。粘性が低下した重油は、第２ウェルボア３００を含む領域に、重力によって排出する。粘性が低下した重油は、第２ウェルボア３００の産出管に入り、累層１３０から産出される。
【００２８】
重油およびタールサンドは、ここで説明された現場で発生させる蒸気回収プロセスの主な焦点である。重油は、一般に、容易に流れないいかなるタイプの原油であってもよい。米国石油協会は、重油をＡＰＩ＜２２と規定する。重油は、５０００よりも高い粘性を有し、ＡＰＩ＜２９の他のものと規定することができる。重油を加熱することにより、粘性を低下させ、粘性が低下した重油を産出できる。同様に、タールサンドまたは瀝青サンドは、瀝青を含むオイルサンドである。瀝青も、高い粘性を有し、加熱されない場合、または化学的手段によって希釈されない場合、通常、良好に流れない。一般に、本開示の実施形態は、累層１３０での粘性が減少した油によって回収努力が高められるいかなる累層１３０でも使用することができる。
【００２９】
セラミック材料を電磁放射線技術と組み合わせることにより、向上した熱分配、現場での蒸気発生、および費用効率の高い回収方法を実現できる。本開示の実施形態は、粘性のある重油の高めた回収、現場での蒸気発生、蒸気管のような蒸気表面設備の排除、蒸気輸送および設備の取り扱い、現場での蒸気発生によるコスト低減を提供し、高温の蒸気にさらされる表面がないので、向上した安全性を提供し、累層１３０の中への熱浸透深さを向上させることによって向上した回収効率、および注入と産出のための単一のウェルの使用を提供する。
【００３０】
本開示は、詳細に説明されたが、本開示の原理および範囲から逸脱することなく、様々な変形形態、置換形態、および変更形態を形成することができる点が理解されるべきである。したがって、本開示の範囲は、以下の特許請求の範囲およびそれらの適切な法的等価物によって決定されるべきである。
【００３１】
文脈が別の方法で明らかに述べられていない場合、単数形の「１つの（『ａ』、『ａｎ』）」、および「該（ｔｈｅ）」は、複数形の指示対象を含む。
【００３２】
「場合による（Ｏｐｔｉｏｎａｌ）」または「場合により（Ｏｐｔｉｏｎａｌｌｙ）」は、後で説明される事象または環境が生じてもよいし、または生じなくてもよいということを意味する。その記述は、事象または環境が生じる例、および生じない例を含む。
【００３３】
範囲は、およそ１つの特定の値から、かつ／またはおよそ別の特定の値までのようにここで示してもよい。前記範囲が示されるとき、前記範囲は、前記範囲内の全ての組み合わせに沿って、別の実施形態が１つの特定の値から、かつ／または他の特定の値までであるということが理解される。
【００３４】
ここで、かつ添付の特許請求の範囲で使用されるように、「備える（ｃｏｍｐｒｉｓｅ）」、「有する（ｈａｓ）」、および「含む（ｉｎｃｌｕｄｅ）」という用語、およびそれの全ての文法的なバリエーションは、それぞれ、追加の要素またはステップを排除しない、オープンであり非限定的な意味を有することが意図されている。
【図１Ａ】
0006257762.tif 000002
【図１Ｂ】
0006257762.tif 000003
【図１Ｃ】
0006257762.tif 000004
【図２Ａ】
0006257762.tif 000005
【図２Ｂ】
0006257762.tif 000006
【図２Ｃ】
0006257762.tif 000007